(57)【要約】【課題】利便性の向上を図ることのできるカードホルダ及びその取付構造を提供する。【解決手段】容器１の側壁部３に取付けられ、カード７ａ、７ｂを装着可能とするカードホルダ１１は、カード７ｂの下端部を支持する支持部１４と、支持部１４から上方に延び、容器１の側壁部３との間にカード７ａ、７ｂを保持可能とするカード保持部１５とを具備するカードホルダ本体１２と、支持部１４を保持するベース保持部２１と、ベース保持部２１から延び、側壁部３に固着される固着部２５とを具備する保持部材１３とを備えている。【選択図】      図６
2018090291.tif 000002
【特許請求の範囲】
【請求項１】
ベース部と、前記ベース部から延び、被取付体との間にカードを保持可能とするカード保持部とを具備するカードホルダ本体と、
前記ベース部を保持するベース保持部と、前記ベース保持部から延び、前記被取付体に固着される固着部とを具備する保持部材とを備えるカードホルダ。
【請求項２】
前記保持部材は、前記カード保持部によって保持されるカードの下端部と当接して、当該カードを支持可能なカード支持部を備えていることを特徴とする請求項１に記載のカードホルダ。
【請求項３】
前記ベース部は、前記カード保持部によって保持されるカードの下端部と当接して、当該カードを支持可能な支持部を備え、
前記保持部材の前記カード支持部は、前記支持部よりも上方に位置していることを特徴とする請求項２に記載のカードホルダ。
【請求項４】
前記保持部材の前記固着部は、カードが、前記カードホルダ本体の前記カード保持部と、前記固着部との間を通すようにして設置可能なように、前記ベース保持部から延びていることを特徴とする請求項１乃至３のいずれかに記載のカードホルダ。
【請求項５】
前記ベース部は、前記カード保持部によって保持されるカードの下端部と当接して、当該カードを支持可能な支持部を備え、
前記保持部材は、前記カード保持部によって保持されるカードの下端部と当接して、当該カードを支持可能なカード支持部を備え、
前記ベース保持部は、前記支持部を上下に挟む上板部、及び、下板部と、前記上板部と前記下板部とを連結する連結部とを備え、
前記上板部、及び、前記下板部のうち一方により前記カード支持部が構成されていることを特徴とする請求項１乃至４のいずれかに記載のカードホルダ。
【請求項６】
前記被取付体に対する前記請求項１乃至５のいずれかに記載のカードホルダの取付構造において、
前記ベース部は、前記カード保持部によって保持されるカードの下端部と当接して、当該カードを支持可能な支持部を備え、
前記支持部の下面から下方に突出する係止突部が設けられ、
前記被取付体は、前記カードホルダ本体の前記カード保持部との間に前記カードを保持可能とする壁部と、前記壁部から突出するとともに、左右方向に延在する横リブとを備え、
前記ベース保持部は、前記支持部を上下に挟む上板部、及び、下板部と、前記上板部と前記下板部とを連結する連結部とを備え、
前記下板部は、前記横リブの上面に当接し、
前記係止突部は、前記横リブの上面に当接、又は、近接していることを特徴とするカードホルダの取付構造。
【発明の詳細な説明】
【技術分野】
【０００１】
本発明は、被取付体にカードを装着させるためのカードホルダ及びその取付構造に関するものである。
【背景技術】
【０００２】
従来、容器やパレット等の運搬補助具に対し、運搬される物品に関する情報が記載されたカードを装着させる場合には、カードホルダが使用される。一般に、カードホルダは、容器等の被取付体に設けられたカードホルダ取付機構に対して取付けられる取付部と、カードを保持するカード保持部とを備えている（例えば、特許文献１等参照。）。
【先行技術文献】
【特許文献】
【０００３】
【特許文献１】特許第４９６３１９８号公報
【発明の概要】
【発明が解決しようとする課題】
【０００４】
ところで、カードホルダ取付機構が設けられていない被取付体には、カードホルダを取付けることができない上、カードホルダ取付機構が設けられている被取付体に対しても、カードホルダ取付機構が設けられていない箇所にカードホルダを取付けることはできない。このため、当初はカードホルダを取付ける予定ではなかった被取付体にカードホルダを取付けたり、被取付体に対するカードホルダの取付位置、ひいては、カードの装着位置を変更したりすることは不可能となっている。
【０００５】
また、カードホルダ取付機構、及び、カードホルダの取付部の形状は統一されたものではなく、例えば、カードホルダ取付機構が所望の位置に設けられていたとしても、カードホルダ取付機構と、カードホルダの取付部との形状が合致しなければ取付けることはできない。
【０００６】
本発明は、上記例示した問題点等を解決するためになされたものであって、その目的は、利便性の向上を図ることのできるカードホルダ及びその取付構造を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．ベース部と、前記ベース部から延び、被取付体との間にカードを保持可能とするカード保持部とを具備するカードホルダ本体と、
前記ベース部を保持するベース保持部と、前記ベース保持部から延び、前記被取付体に固着される固着部とを具備する保持部材とを備えるカードホルダ。
【０００９】
手段１によれば、被取付体において、カードホルダ（カードホルダ本体）を取付可能とするカードホルダ取付機構が設けられていなくても、保持部材を使用することによって、前記被取付体に対しカードホルダ（カードホルダ本体）を取付けることが可能となる。このため、当初はカードホルダを取付ける予定ではなかった被取付体にカードホルダを取付けたり、被取付体に装着するカードのサイズの変更や、被取付体を運搬する運搬手段等の変更等に応じて（カードサイズが大きくなってカードホルダの取付位置がそのままではカードを装着する余地がない、カードサイズが小さくなってカードホルダの取付位置がそのままではカードが見え難い、被取付体の運搬等に際して運搬手段等がカードと接触してしまう、或いは、被取付体の運搬等に際して運搬手段等がカードを隠してしまう等の事態が発生する場合に）、カードホルダの取付位置をカードホルダ取付機構が設けられた位置とは異なる位置に変更したりすることができる。また、被取付体のカードホルダ取付機構に合致する形状のカードホルダ（カードホルダ本体）を用意しなくても、カードホルダを被取付体に取付けることが可能となる。
【００１０】
以上のように、被取付体のカードホルダ取付機構の有無や、カードホルダ取付機構の構成に関わらず、カードホルダを被取付体に対して適宜取付けることができ、カードホルダの設置に関する利便性の向上を図ることができる。また、とりあえずカードホルダは不要だが、将来的に必要になるかもしれないといった場合に、被取付体にカードホルダ取付機構を予め設けておく、或いは、カードホルダの取付位置を変更可能なように、被取付体の複数箇所にカードホルダ取付機構を予め設けておくといったことをしなくても済む上、カードホルダ本体のみが在庫として残っている場合に、保持部材を使用することで、前記カードホルダ本体を有効に活用することができる。
【００１１】
尚、「前記カードホルダ本体は、当該カードホルダ本体を取付可能とするカードホルダ取付機構を備える被取付体に対し、前記保持部材を使用せずに取付可能に構成されていること」としてもよい。
【００１２】
手段２．前記保持部材は、前記カード保持部によって保持されるカードの下端部と当接して、当該カードを支持可能なカード支持部を備えていることを特徴とする手段１に記載のカードホルダ。
【００１３】
手段２によれば、被取付体に固着される保持部材は、カードホルダに装着されるカードを支持可能な位置に設けられている。このため、カードホルダ本体と、被取付部との間に隙間が形成されるような場合（被取付部、及び、カードホルダ本体の少なくとも一方の長期使用等により、被取付部、又は、カードホルダ本体が変形した場合、又は、前記隙間が形成されるような被取付部と、カードホルダ本体とを組合せる場合）でも、保持部材によってカードの落下を防止したり、カードを好適な姿勢に支持したりすることができる。また、カードホルダ本体と、被取付体との間からカードが脱落した場合の備えとして、カードホルダの直下方位置に被取付体のリブ等を配置するといった構成を採用しなくても済み、カードホルダの取付位置をより自由に選択することが可能となる。
【００１４】
尚、カードホルダ本体と、被取付体との間に隙間が形成されるケースとしては、例えば、被取付体やカードホルダ本体の長期使用による変形や製造誤差等によりカードホルダ本体と、被取付体とを好適に当接させることができない場合や、元々、カードホルダ本体と、被取付体との間に隙間が形成されるような組合せであり、サイズの小さいカードを所期の位置に装着しようとするとカードが前記隙間に配置されてしまう場合等が挙げられる。特に、カードホルダ本体において、カードの裏面（被取付体側の面）を支持する背板部が設けられていない場合、カードが、カードホルダ本体と、被取付体との間に落ちる可能性が高まることが懸念されるが、本手段を採用することで、保持部材によってカードの落下を防止することができる。換言すれば、カードホルダ本体と、被取付体との間からのカードの脱落等を懸念することなく、カードホルダ本体として、背板部の無いものを採用することができる。
【００１５】
尚、「前記ベース部は、左右方向に延びるとともに、その延在方向における長さは、前記保持部材の横幅よりも長く構成され、前記保持部材の前記ベース保持部は、前記ベース部を保持する位置を調整可能に構成されていること」としてもよい。この場合、ベースに対する保持部材の保持位置の調整を行うことができ、保持部材のカード支持部でカードを支持する場合等の利便性の向上を図ることができる。
【００１６】
手段３．前記ベース部は、前記カード保持部によって保持されるカードの下端部と当接して、当該カードを支持可能な支持部を備え、
前記保持部材の前記カード支持部は、前記支持部よりも上方に位置していることを特徴とする手段２に記載のカードホルダ。
【００１７】
手段３によれば、カードホルダ本体にも支持部があることから、保持部材のカード支持部でカードを支持させる場合だけでなく、カードホルダ本体の支持部でカードを支持させるという選択を行うことができる。このため、サイズの異なるカードが、適宜、装着されるような環境に対応し易くなる上、保持部材としては、カードホルダ本体の取付状態を安定させることを優先して、カードホルダ本体のベース部のうちカードホルダ本体の取付状態を安定させるために最も効率的な位置を保持させることができる。
【００１８】
また、カードがカードホルダ本体の支持部に支持される場合には、支持部よりも上方に位置する保持部材のカード支持部により、カードの左右方向への変位や脱落を防止することができる。さらに、カードが保持部材のカード支持部に支持される場合には、カードがカードホルダ本体の支持部と、被取付体とに間に挟まることを防止することができる（カードホルダ本体に支持部が備えられているものの、カードホルダ本体や被取付部の変形等により、カードホルダ本体の支持部と、被取付体との間に隙間が形成されてしまう場合に、カードホルダ本体に対する保持部材の保持位置を調整し、保持部材のカード支持部でカードを支持させるといった選択を行うことができる）。
【００１９】
手段４．前記保持部材の前記固着部は、カードが、前記カードホルダ本体の前記カード保持部と、前記固着部との間を通すようにして設置可能なように、前記ベース保持部から延びていることを特徴とする手段１乃至３のいずれかに記載のカードホルダ。
【００２０】
手段４によれば、保持部材の固着部により、カードホルダに装着されるカードの全体が、被取付体の側面に密着することを防止することができる。さらに、カードの横幅方向における端部又は端部よりも若干横幅方向中央側の位置に保持部材を配置することによって、カードの横幅方向の端部を、被取付体の側面から離間させる（指先をカードの側辺部に掛け易くする隙間を形成する）ことができる。従って、カードホルダからカードを抜き取る際の作業性の向上を図ることができる。特に、カードホルダ本体において、カードの裏面（被取付体側の面）を支持する背板部が設けられていない場合、又は、背板部が設けられていたとしてもカードの裏面と接触しない場合には、上記作用効果がより顕著に奏されることとなる。
【００２１】
尚、ベース保持部の一部によりカード支持部が構成されるとともに、上記手段３のカード支持部から固着部が上方に延びる場合、カードが保持部材のカード支持部に支持されていれば、当該カードの下端部が被取付体側に変位したとしても、固着部に当接してそれ以上の変位が規制されることから、カードが、カードホルダ本体の支持部と、被取付体との間に挟まることを防止するといった作用効果がより確実に奏される。
【００２２】
手段５．前記ベース部は、前記カード保持部によって保持されるカードの下端部と当接して、当該カードを支持可能な支持部を備え、
前記保持部材は、前記カード保持部によって保持されるカードの下端部と当接して、当該カードを支持可能なカード支持部を備え、
前記ベース保持部は、前記支持部を上下に挟む上板部、及び、下板部と、前記上板部と前記下板部とを連結する連結部とを備え、
前記上板部、及び、前記下板部のうち一方により前記カード支持部が構成されていることを特徴とする手段１乃至４のいずれかに記載のカードホルダ。
【００２３】
手段５によれば、カードホルダ本体のベース部としての支持部を、保持部材のベース保持部において上板部、及び、下板部により挟み込むようにして比較的強固に保持することができる。従って、カードホルダ本体が、保持部材から外れたり、位置ずれしたりしてしまうといった事態をより確実に防止することができる。また、上板部、及び、下板部のうち一方が、カード支持部を兼ねることで、例えば、カード支持部が上板部、及び、下板部とは別に設けられる場合に比べ、保持部材のコンパクト化等を図ることができる。さらに、保持部材がカードホルダ本体の支持部を保持する構成により、例えば、支持部が保持部材により間接的に支持される場合に比べて、支持部を好適な位置で（例えば、支持部と被取付体との間に隙間ができないように）より確実に保持することができるとともに、支持部が変形・変位することを抑止することができる。
【００２４】
手段６．前記被取付体に対する前記手段１乃至５のいずれかに記載のカードホルダの取付構造において、
前記ベース部は、前記カード保持部によって保持されるカードの下端部と当接して、当該カードを支持可能な支持部を備え、
前記支持部の下面から下方に突出する係止突部が設けられ、
前記被取付体は、前記カードホルダ本体の前記カード保持部との間に前記カードを保持可能とする壁部と、前記壁部から突出するとともに、左右方向に延在する横リブとを備え、
前記ベース保持部は、前記支持部を上下に挟む上板部、及び、下板部と、前記上板部と前記下板部とを連結する連結部とを備え、
前記下板部は、前記横リブの上面に当接し、
前記係止突部は、前記横リブの上面に当接、又は、近接していることを特徴とするカードホルダの取付構造。
【００２５】
手段６によれば、保持部材を横リブで支持することができ、被取付体に対する保持部材の取付状態の安定化をより一層図ることができる。また、カードホルダ本体の支持部は、保持部材によって支持されるだけではなく、係止突部を介して横リブによっても支持される（係止突部と横リブとが近接配置される場合には、支持部が変形した場合に支持される）こととなる。このため、支持部に対して下向きの外力が作用した場合に、カードホルダ本体（支持部）が保持部材から外れたり、カードホルダ本体等が損傷したりしてしまうといった事態を防止することができる。
【００２６】
尚、手段６のカードホルダ本体は、被取付体にカードホルダ取付機構が設けられている場合に、カードホルダ本体を保持部材なしで被取付体（カードホルダ取付機構）に取付けることが可能なものであって、係止突部は、カードホルダ本体をカードホルダ取付機構に取付けるために機能する（例えば、カードホルダ取付機構の被係止部と係止される）ものを意図している。さらに、本手段６では、カードホルダ本体に係止突部が設けられている場合であって、保持部材を支持させる横リブにおいてカードホルダ取付機構が設けられていない、又は、カードホルダ本体と合致しないカードホルダ取付機構が設けられている場合を意図しており、係止突部の存在により支持部を横リブに当接させて支持させることは不可能となるが、上記のように、保持部材を使用することにより、保持部材及び係止突部で協働して支持部を支持するといった具合に、係止突部を有効利用しつつ、支持部を確実に支持することができる。加えて、カードホルダ本体に支持部が設けられていない場合や、保持部材のカード支持部から外れた位置にガードを装着する必要が生じた場合に、カードが、カードホルダ本体と、被取付体との間の隙間に落ちてしまうことが懸念されるが、横リブによりカードが被取付体から脱落するといった事態を防止することができる。
【図面の簡単な説明】
【００２７】
【図１】容器、及び、カードホルダの斜視図である。
【図２】カードホルダの取付前の状態を示す斜視図である。
【図３】カードホルダ本体の表面側斜視図である。
【図４】保持部材の表面側斜視図である。
【図５】保持部材の裏面側斜視図である。
【図６】容器への取付状態にあるカードホルダの正面図である。
【図７】図６のＡ−Ａ線断面図である。
【図８】図６のＢ−Ｂ線断面図である。
【図９】図６のＣ−Ｃ線断面図である。
【図１０】別の実施形態における容器への取付状態にあるカードホルダの正面図である。
【図１１】別の実施形態における容器への取付状態にあるカードホルダの斜視図である。
【発明を実施するための形態】
【００２８】
以下に、一実施形態について図面を参照して説明する。まず、図１、図２に基づいて、カードホルダ１１が取付けられる被取付体としての容器１について説明する。容器１は、平面視略矩形状の底壁構成部２と、底壁構成部２の各側辺部から上方に延出する側壁部３と、側壁部３から外方に突出し、左右方向に延在する横リブ４と、側壁部３から外方に突出し、上下方向に延在する縦リブ５とを備えている。また、容器１は、ポリプロピレンにより構成されている。
【００２９】
さて、図１、図２等に示すように、容器１に取付けられるカードホルダ１１は、カード７ａ、７ｂ（図６参照）を保持するカードホルダ本体１２と、カードホルダ本体１２を容器１の側壁部３に取付ける保持部材１３とを備えている。カードホルダ本体１２、及び、保持部材１３は、それぞれ透明なポリプロピレンにより構成されている。
【００３０】
図３、図６等に示すように、カードホルダ本体１２は、左右に長い略平板状の支持部１４と、支持部１４の上面から上方に突出し、容器１の側壁部３との間にカード７ａ、７ｂを保持可能とするカード保持部１５とを備えている。支持部１４の後辺部は略直線状に構成され、カードホルダ１１の容器１への取付状態においては、側壁部３と当接するようになっている（図８等参照）。本実施形態では、カードホルダ１１に対して大小２種類のカード７ａ、７ｂを装着することを想定しており、横幅がカード保持部１５の横幅よりも短い小カード７ｂが装着される場合には、小カード７ｂの下辺部が支持部１４に当接して、支持されるように構成されている。尚、図６では、便宜上、小カード７ｂを支持部１４から少し浮かせた状態で図示している。また、横幅が支持部１４の横幅とほぼ同じ大カード７ａが装着される場合については後述する。
【００３１】
図３、図８に示すように、カード保持部１５は、支持部１４の上面の前後方向中間位置から上方に向けて、後方（側壁部３に近接する側）に傾斜して延び、側壁部３に対して遠近する方向（前後方向）において弾性変形可能に構成される左右一対の挟着部１６と、挟着部１６の先端部から上方かつ前方（側壁部３から遠ざかる側）に延びる返し部１７と、一対の挟着部１６の上下方向中間位置の間を連結する連絡部１８とを備えている。図３、図６に示すように、各挟着部１６は、支持部１４の横幅方向両端部よりも中央部側の位置に設けられており、カードホルダ本体１２の両端部においては支持部１４が延在するのみとなっている。
【００３２】
カードホルダ１１の容器１への取付前の状態においては、挟着部１６と返し部１７との境界部が支持部１４の後辺部（側壁部３側の辺部）よりも後方に位置しており、カードホルダ１１の容器１への取付状態においては、図８に示すように、挟着部１６と返し部１７との境界部が、側壁部３と当接するように構成されている。さらに、図６に示すように、カードホルダ１１に装着されるカード７ａ、７ｂは、カードホルダ１１への装着状態において、上端部が挟着部１６と返し部１７との境界部よりも上方に位置している。このため、カードホルダ１１に装着されたカード７ａ、７ｂは、カード保持部１５と、側壁部３との間に挟着されるようになっている。
【００３３】
また、連絡部１８（図９参照）を持って手前に引くことにより、カード保持部１５を側壁部３から離間させ、カードホルダ１１に対しカード７ａ、７ｂを比較的容易に着脱可能となっている。さらに、カード７ａ、７ｂをカードホルダ１１に装着させる際に、カード７ａ、７ｂの下部が返し部１７（図８参照）に案内されるようになっており、カード７ａ、７ｂを比較的容易に装着可能となっている。
【００３４】
図４、図５、図７等に示すように、保持部材１３は、カードホルダ本体１２の支持部１４を上下に挟む上板部２２、及び、下板部２３と、上板部２２の前端部と下板部２３の前端部との間を連結する連結部２４とを具備する断面略コ字状のベース保持部２１と、上板部２２の後端部から上方に延び、容器１の側壁部３に固着される固着部２５とを備えている。本実施形態では、支持部１４の横幅方向両端部を保持するようにして、保持部材１３が左右一対で設けられている。尚、本実施形態では、カードホルダ本体１２の支持部１４がベース部に相当する。
【００３５】
加えて、上板部２２と、下板部２３との間の距離は、カードホルダ本体１２の支持部１４の厚みと同じ、又は、支持部１４の厚みよりも若干短くなっている。さらに、下板部２３の後端部は、上板部２２の後端部よりも前方に位置している。
【００３６】
また、固着部２５は、上板部２２に対して略直交して延びている。さらに、固着部２５のうち側壁部３との当接面は平坦に構成されている。加えて、固着部２５には、固着部２５の厚み方向に貫通する固着孔部２６が設けられている。固着孔部２６の内周面は、固着部２５のうち側壁部３と当接する後面とは反対側となる前面側から固着部２５の厚み方向中間位置（厚みの中心よりも後面側の位置）まで縮径し、さらに、そこから後面側に向けて拡径する形状を成している（図７参照）。
【００３７】
本実施形態では、支持部１４の両端部に装着された各保持部材１３の固着部２５と、側壁部３とを当接させた状態で、固着部２５、及び、側壁部３のうち固着孔部２６の周辺部を溶融し、固着部２５と側壁部３とを固着させるように構成されている。これにより、カードホルダ１１が（カードホルダ本体１２が一対の保持部材１３を介して）側壁部３に取付けられている。尚、図７では、便宜上、前記溶融に対応する図示を省略している。
【００３８】
また、図６に示すように、カードホルダ１１に対し横幅がカードホルダ本体１２の横幅とほぼ同じ大カード７ａを装着する場合には、大カード７ａの下端部は、左右一対の保持部材１３の上板部２２に当接して、支持されることとなる。さらに、カードホルダ１１に装着される大カード７ａは、保持部材１３の上板部２２から上方に延びる固着部２５と、カードホルダ本体１２のカード保持部１５との間を通すようにして設置されることとなる。尚、図６では、便宜上、大カード７ａを上板部２２から少し浮かせた状態で図示している。
【００３９】
加えて、図７に示すように、固着部２５の前面の上部には、上方に向けて後側（側壁部３側）に傾斜するガイド傾斜部２７が設けられている。そして、大カード７ａをカードホルダ１１に装着させる際に、大カード７ａの下端部がガイド傾斜部２７により固着部２５の前方位置に案内されるようになっており、大カード７ａを比較的容易に装着することが可能となる。尚、本実施形態では、上板部２２によりカード支持部が構成されている。
【００４０】
また、図６、図７等に示すように、本実施形態では、一対の保持部材１３は、下板部２３が、容器１の高さ方向中間位置において左右に延びる横リブ４の上面に当接するように配置されている。尚、図７等に示すように、容器１に取付けられたカードホルダ１１は、その全体が、横リブ４、及び、縦リブ５の先端縁よりも側壁部３側に収まるように構成されている。
【００４１】
さらに、図３、図６、図８等に示すように、カードホルダ本体１２には、支持部１４の下面から下方に突出する係止突部２８が設けられている。係止突部２８の支持部１４からの突出長は、保持部材１３の下板部２３の厚みと同じ、又は、下板部２３の厚みよりも若干短くなるように構成されている。
【００４２】
尚、図２等に示すように、本実施形態の容器１は、保持部材１３を使用せずに、カードホルダ本体１２を容器１に取付可能とするカードホルダ取付機構３１を備えている。カードホルダ取付機構３１は、カードホルダ１１の保持部材１３と当接する横リブ４の下方に位置する横リブ４（横リブ３２）と、横リブ３２から支持部１４の厚み程度の距離を上方に離間した位置において、側壁部４等から横リブ３２の上方位置に突出し、横リブ３２の上面との間に支持部１４を挿入可能とする係止部３３とを備えている。さらに、横リブ３２には、カードホルダ本体１２の係止突部２８を挿入可能な係止孔３４が設けられている。そして、各係止部３３と横リブ３２との間に支持部１４を挿入させ、係止突部２８を係止孔３４に挿入させることにより、カードホルダ本体１２を単体で容器１に取付可能に構成されている。尚、係止孔３４を省略してもよく、この場合、係止突部２８が横リブ３２に圧接し、支持部１４が撓むことにより、カードホルダ本体１２が容器１に取付けられる。
【００４３】
これに対し、本実施形態では、保持部材１３を使用することにより、カードホルダ本体１２をカードホルダ取付機構３１が設けられていない部位に取付けることとしている。また、保持部材１３の下板部２３が横リブ４の上面に当接することにより、係止突部２８が、横リブ４の上面と当接、又は、近接するように配置されている。
【００４４】
以上詳述したように、本実施形態によれば、保持部材１３を使用することによって、容器１においてカードホルダ１１（カードホルダ本体１２）を取付可能とするカードホルダ取付機構３１が設けられていない部位に対しても、カードホルダ１１（カードホルダ本体１２）を取付けることが可能となる。このため、容器１に装着するカード７ａ、７ｂのサイズの変更や、容器１を運搬する運搬手段等の変更等に応じて（カードサイズが大きくなってカードホルダ１１の取付位置がそのままではカード７ａ、７ｂを装着する余地がない、カードサイズが小さくなってカードホルダ１１の取付位置がそのままではカード７ａ、７ｂが見え難い、容器１の運搬等に際して運搬手段等がカード７ａ、７ｂと接触してしまう、或いは、容器１の運搬等に際して運搬手段等がカード７ａ、７ｂを隠してしまう等の事態が発生する場合に）、カードホルダ１１の取付位置をカードホルダ取付機構３１が設けられた位置とは異なる位置に変更することができる。
【００４５】
このように、容器１のカードホルダ取付機構３１の構成に関わらず、カードホルダ１１を容器１に対して適宜（所期の位置に）取付けることができ、カードホルダ１１の設置に関する利便性の向上を図ることができる。また、カードホルダ１１の取付位置を変更可能なように、容器１の複数箇所にカードホルダ取付機構３１を予め設けておくといったことをしなくても済む。さらに、容器１のカードホルダ取付機構３１に合致する形状のカードホルダ本体１２を用意しなくても（本例では、合致するものが使用されている）、カードホルダ１１を容器１に取付けることが可能となる。このため、カードホルダ本体１１のみが在庫として残っている場合に、保持部材１３を使用することで、カードホルダ本体１１を有効に活用することができる。
【００４６】
また、容器１の側壁部３に固着される保持部材１３は、カードホルダ１１に装着されるカード（本例では、大カード７ａ）を支持可能な位置に設けられているため、カードホルダ本体１２と、容器１との間に隙間が形成されるような場合でも、保持部材１３によって大カード７ａの落下を防止したり、大カード７ａを好適な姿勢に支持したりすることができる。特に、本実施形態では、カードホルダ本体１２において、カード７ａ、７ｂの裏面（容器１側の面）を支持する背板部が設けられていないため、カード７ａ、７ｂが、カードホルダ本体１２と、容器１の側壁部３との間に落ちる可能性が高まることが懸念されるが、本実施形態では、保持部材１３によって大カード７ａの落下を防止することができる。換言すれば、カードホルダ本体１２と、容器１との間からの大カード７ａの脱落等を懸念することなく、カードホルダ本体１２として、背板部の無いものを採用することができる。
【００４７】
さらに、本実施形態では、カードホルダ１１に大カード７ａを装着する場合には、大カード７ａは、左右一対で設けられる保持部材１３の上板部２２に支持されるようになっている。加えて、固着部２５は、上板部２２の後端部から上方に延びている。このため、保持部材１３の上板部２２に支持されている大カード７ａの下端部が側壁部３側に変位したとしても、固着部２５に当接してそれ以上の変位が規制されることから、大カード７ａが上板部２２に支持される状態が維持される。従って、大カード７ａが、カードホルダ本体１２の支持部１４と、側壁部３との間に挟まってしまうことを確実に防止することができる。
【００４８】
さらに、大カード７ａは、保持部材１３の固着部２５と、カードホルダ本体１２のカード保持部１５との間を通すようにして設置される。このため、保持部材１３の固着部２５により、カードホルダ１１に装着される大カード７ａの全体が、容器１の側壁部３に密着することを防止することができる。さらに、保持部材１３は、大カード７ａの横幅方向における両端部に対応して配置されているため、大カード７ａの横幅方向の端部を、側壁部３から離間させる（指先を大カード７ａの側辺部に掛け易くする隙間を形成する）ことができる。従って、カードホルダ１１から大カード７ａを抜き取る際の作業性の向上を図ることができる。特に、本実施形態では、カードホルダ本体１２において、大カード７ａの裏面（側壁部３側の面）を支持する背板部が設けられておらず、大カード７ａが側壁部３に密着し易い構成であることから、上記作用効果がより顕著に奏されることとなる。
【００４９】
尚、本実施形態では、カードホルダ１１に小カード７ｂを装着する場合には、小カード７ｂは、カードホルダ本体１２の支持部１４に支持されるように構成されている。このため、サイズの異なるカード７ａ、７ｂが、適宜、装着されるような環境に対応し易くなる上、保持部材１３としては、カードホルダ本体１２の取付状態を安定させることを優先して、カードホルダ本体１２の支持部１４のうちカードホルダ本体１２の取付状態を安定させるために最も効率的な位置を保持させることができる。加えて、小カード７ｂがカードホルダ本体１２の支持部１４に支持される場合には、支持部１４よりも上方に位置する保持部材１３の上板部２２により、小カード７ｂの左右方向への変位や脱落を防止することも可能である。
【００５０】
また、保持部材１３は、カードホルダ本体１２の支持部１４を、ベース保持部２１において上板部２２、及び、下板部２３により挟み込むようにして比較的強固に保持することができる。従って、カードホルダ本体１２が、保持部材１３から外れたり、位置ずれしたりしてしまうといった事態をより確実に防止することができる。また、上板部２２が、大カード７ａを支持する部位を兼ねることで、保持部材１３において、大カード７ａを支持する部位を別途設ける場合に比べ、保持部材１３のコンパクト化等を図ることができる。さらに、保持部材１３がカードホルダ本体１２の支持部１４を保持する構成により、例えば、支持部１４が保持部材１３により間接的に支持される場合に比べて、支持部１４を好適な位置で（例えば、支持部１４と側壁部３との間に隙間ができないように）より確実に保持することができるとともに、支持部１４が変形・変位することを抑止することができる。
【００５１】
また、保持部材１３は、下板部２３の下面が、容器１の横リブ４の上面と当接するようにして設けられている。このため、保持部材１３を横リブ４で支持することができ、容器１に対する保持部材１３の取付状態の安定化をより一層図ることができる。また、カードホルダ本体１２には、支持部１４の下面から突出する係止突部２８が設けられ、カードホルダ本体１２の取付状態では、係止突部２８が横リブ４の上面と当接、又は、近接するように構成されている。このため、カードホルダ本体１２の支持部１４は、保持部材１３によって支持されるだけではなく、係止突部２８を介して横リブ４によっても支持される（係止突部２８と横リブ４とが近接配置される場合には、支持部１４が変形した場合に支持される）こととなる。このため、支持部１４に対して下向きの外力が作用した場合に、カードホルダ本体１２（支持部１４）が保持部材１３から外れたり、カードホルダ本体１２等が損傷したりしてしまうといった事態を防止することができる。
【００５２】
尚、係止突部２８の存在により支持部１４を横リブ４に当接させて支持させることは不可能となるが、上記のように、保持部材１３を使用することにより、保持部材１３及び係止突部２８で協働して支持部１４を支持するといった具合に、係止突部２８を有効利用しつつ、支持部１４を確実に支持することができる。加えて、小カード７ｂをカードホルダ１１に装着する場合に、カードホルダ本体１２の支持部１４と、容器１の側壁部３との間に隙間が形成されていても、横リブ４により小カード７ｂが容器１から脱落するといった事態を防止することができる。
【００５３】
尚、上記実施形態の記載内容に限定されず、例えば次のように実施してもよい。勿論、以下において例示しない他の応用例、変更例も当然可能である。
【００５４】
（ａ）上記実施形態では、保持部材１３が支持部１４の両端部に設けられているが、保持部材１３が支持部１４を保持する位置については限定されるものではなく、支持部１４のうち挟着部１６が設けられていない部位に対して保持部材１３の取付位置を適宜設定することが可能である。例えば、図１０に示すように、一対の挟着部１６の間において保持部材１３を設けることとしてもよい。この場合、大カード７ａだけでなく、小カード７ｂについても、保持部材１３（上板部２２）で支持することが可能となる。さらに、図１０に示すように、保持部材１３を、挟着部１６と当接、又は、近接させたり、係止突部２８と当接、又は、近接させたりすることとしてもよい。この場合、左右方向におけるカードホルダ本体１２と、保持部材１３との相対変位を防止することができる。
【００５５】
（ｂ）また、カードホルダ本体１２の形状は特に限定されるものではなく、例えば、カードホルダ本体１２は、支持部１４の後端部から上方に延び、側壁部３に当接する背板部を備えることとしてもよい。さらに、容器１への取付状態にあるカードホルダ本体１２の挟着部１６が容器１の側壁部３から離間しているように構成され、挟着部１６を弾性変形させることなく、カードホルダ１１にカード７ａ、７ｂを装着するような構成としてもよい。加えて、保持部材１３によって保持される部位（被保持部）の形状についても特に限定されるものではなく、例えば、支持部１４の両端部に対して断面Ｌ字状をなす被保持部を設けることとしてもよいし、上記背板部の上辺部に連結され、左右に延在する保持板部を設け、保持板部の左右端部付近を被保持部とするように構成してもよい。
【００５６】
尚、カードホルダ本体１２のうち、カード保持部１５以外の部位は、ベース部を構成するものであり、本態様例の背板部、被保持部、及び、保持板部についても、ベース部の構成部位となっている。
【００５７】
さらに、支持部１４の前辺部や後辺部において切欠き部（凹部）を設けることとしてもよい。尚、後辺部に切欠き部が設けられた支持部と、側壁部３との間に隙間が形成される場合であって、装着されるカードのサイズが小さく、カードホルダ１１に装着されたカードが左右方向に少しでもずれるとカードが前記隙間に落ちてしまう場合、又は、カードを所期の位置に配置しようと、支持部では全くカードを支持することができない（カードホルダ本体１２においてカードを支持する部位がなくなってしまう）ような場合であっても、保持部材１３によってカードの左右方向への変位を規制する、或いは、保持部材１３によってカードの下辺部を支持することが可能である。従って、支持部と、側壁部との間に隙間が形成されてしまうカードホルダ本体１２と、容器１とを組合わせることも可能となり、利便性の向上を図ることができる。
【００５８】
加えて、上記実施形態のカードホルダ本体１２は、カードホルダ取付機構３１にカードホルダ本体１２を取付けるための係止突部２８等の構成を備えているが、かかる構成を省略し、保持部材１３と組合わせて使用することを前提として製造されたカードホルダ本体に具体化することも可能である。
【００５９】
（ｃ）また、保持部材１３の形状は特に限定されるものではなく、例えば、図１１の左側の保持部材１３のように、ベース保持部２１において、上板部２２、及び、下板部２３の一側部間を連結する位置決め部４１を設けることとしてもよい。この場合、左右方向におけるカードホルダ本体１２と、保持部材１３との相対変位を防止することができる。
【００６０】
さらに、上記実施形態では、保持部材１３は、固着部２５がベース保持部２１から上方に突出する向きで容器１の側壁部３に取付けられているが、図１１の右側の保持部材１３のように、固着部２５がベース保持部２１から下方に突出する向きで側壁部３に取付けられることとしてもよい。尚、上記実施形態の下板部２３は、上板部２２よりも後端部が前方に位置していることから、保持部材１３を上下反対向きに取付けた場合、大カード７ａは、支持部１４よりも上方に位置する下板部２３と、側壁部３との間に落下する。但し、当該大カード７ａについては、カードホルダ本体１２の支持部１４が側壁部３と当接している場合には、支持部１４で大カード７ａを支持することができ、また、支持部１４と側壁部３との間に隙間が形成されていたとしても、支持部１４の下方に位置する上板部２２で大カード７ａを支持することができ、大カード７ａがカードホルダ１１から脱落してしまうといった事態を確実に防止することができる。当然、下板部２３の後端部を、上板部２２の後端部と同じ位置まで延ばすように構成することで、保持部材１３を上下反対向きに取付けた場合、支持部１４よりも上方に位置する下板部２３によって大カード７ａを支持可能となる。
【００６１】
また、上記実施形態では、保持部材１３は、ベース保持部２１においてカードホルダ本体１２の支持部１４を上下に挟むことで、当該支持部１４を保持しているが、例えば、保持部材１３は、上下に延びる固着部と、固着部２５の上端部、又は、下端部から外方に突出する支持板部とを備える断面略Ｌ字状をなし、支持板部の上面でカードホルダ本体１２の支持部１４を支持するように構成してもよい。但し、カードホルダ本体１２の取付状態の安定化を図るべく、前記支持板部の前部から上方に突出し、前記支持板部に支持された支持部１４の前方への変位を防止する規制部や、支持部の上面に当接して、前記支持板部との間に支持部を挟持する上板部を設けることが望ましい。さらに、例えば、ベース保持部２１と、支持部１４とを溶着したり、ベース保持部２１、及び、支持部１４の一方に係止部を設けるとともに、他方に該係止部と係止される被係止部を設けたりすることとしてもよい。但し、容器１に取付けられた保持部材１３に対しカードホルダ本体１２を着脱可能、或いは、カードホルダ本体１２を再使用可能とする利便性の向上、ベース保持部２１と、支持部１４とを溶着しなくても済む取付作業性の向上、及び、保持部材１３及びカードホルダ本体１２に対して新たに前記係止部及び前記被係止部を設けなくても済む製造作業性の向上を図るべく、上記実施形態のように、ベース保持部２１の形状によって支持部１４を保持可能に構成することが望ましい。
【００６２】
また、上記実施形態では特に言及していないが、容器１に取付けられたカードホルダ１１のうちカードホルダ本体１２のみを着脱可能としてもよい。この場合、保持部材１３を容器１に取付状態としたまま、カードホルダ本体１２の交換等を行うことができる。さらに、当該構成を採用する場合、保持部材１３の上板部２２の下面と側面との境界部、及び、下板部２３の上面と側面との境界部を斜めに面取り加工、又は、Ｒ加工することにより、カードホルダ本体１２をベース保持部２１に保持させる際に、支持部１４の端部を上板部２２と下板部２３との間に挿入させ易くすることができる。
【００６３】
さらに、カードホルダ本体１２を保持する（カードホルダ本体１２を容器１に取付けるための）保持部材１３の数は特に限定されるものではなく、１つの保持部材１３でカードホルダ本体１２を保持してもよいし、３つ以上の保持部材１３でカードホルダ本体１２を保持してもよい。尚、カードホルダ１１を容器１に取付ける際の作業性の向上を図るべく、カードホルダ本体１２に取付けられる複数の保持部材１３はいずれも同じ形状のものとすることが望ましい。
【００６４】
また、例えば、保持部材１３のベース保持部２１により、支持部１４と、支持部１４の下面から突出する係止突起２８と当接する横リブ４とをまとめて保持する（上板部２２と、下板部２３との間に、支持部１４及び横リブ４を挟む）ように構成してもよい。この場合、支持部１４や保持部材１３を横リブ４に支持させる作用効果が一層確実に奏されるとともに、カードホルダ１１と、横リブ４との間の相対変位（特にガードホルダ１１が横リブ４から浮き上がる側への変位）をより確実に防止することができる。
【００６５】
（ｄ）上記実施形態では、カードホルダ１１が横リブ４の直上方位置に設けられているが、特にカードホルダ１１の取付位置は限定されるものではなく、図１０に示すように、保持部材１３と、横リブ４とが離間するように配置されることとしてもよい。当該構成を採用する場合であっても、保持部材１３を使用すれば、大カード７ａや小カード７ｂがカードホルダ１１から脱落するといった事態を回避することができ、カードホルダ１１の取付位置をより自由に選択することが可能となる。
【００６６】
尚、カードホルダ１１に装着されるカードの大きさ、形状、及び、素材等についても特に限定されるものではなく、下辺部がカードホルダ１１の支持部１４、又は、保持部材１３で支持され、表面側がカード保持部１５で保持されるものであればよい。
【００６７】
（ｅ）カードホルダ１１の取付対象である被取付体は特に限定されるものではなく、折畳み式の容器、容器に被せられる蓋、パレット、台車等に取付けることとしてもよい。さらには、被取付体として、容器やパレット等の運搬補助具に限定されるものでもなく、例えば、棚、机、看板、鞄等に取付けることも可能である。
【００６８】
加えて、上記実施形態では、容器１において、カードホルダ１１（カードホルダ本体１２）を取付可能とするカードホルダ取付機構３１が設けられているが、カードホルダ取付機構３１が設けられていない容器に具体化することも可能である。当該容器を採用する場合においても、保持部材１３を使用することによって、容器に対しカードホルダ１１（カードホルダ本体１２）を取付けることが可能となる。このため、当初はカードホルダ１１を取付ける予定ではなかった容器にカードホルダ１１を取付けたり、カードホルダ１１を取付けて完成とする容器ではあるが、容器そのものとしてはカードホルダ取付機構３１が省略された成形し易い格好で構成したりすることができる。このように、容器のカードホルダ取付機構３１の有無に関わらず、カードホルダ１１を容器に対して適宜取付けることができ、カードホルダ１１の設置に関する利便性の向上を図ることができる。また、とりあえずカードホルダ１１は不要だが、将来的に必要になるかもしれない等といった場合に、容器にカードホルダ取付機構３１を予め設けておくといったことをしなくても済む。
【００６９】
（ｆ）上記実施形態では、容器１、カードホルダ本体１２、及び、保持部材１３はポリプロピレンにより構成されているが、特に当該構成に限定されるものではなく、例えば、ポリエチレン、ＰＥＴ、ポリアミド等その他の樹脂材料により構成されることとしてもよい。さらに、容器１、カードホルダ本体１２、及び、保持部材１３の色についても特に限定されるものではなく、カードホルダ本体１２、及び、保持部材１３を半透明、又は、不透明としてもよい。
【００７０】
また、上記実施形態では、保持部材１３の固着部２５と、容器１の側壁部３とを溶着させているが、例えば、保持部材１３の固着孔部２６に対し、容器１の側壁部３と相溶性を有する樹脂を充填し、硬化させることで、少なくとも容器１と溶着されるとともに、保持部材１３（固着部２５）の容器１から離間する方向への変位を防止する固着樹脂層を設けることとしてもよい。この場合、保持部材１３と、容器１との間に相溶性がなくても、保持部材１３を容器１に固着することができる。
【符号の説明】
【００７１】
１…容器、３…側壁部、４…横リブ、７ａ…大カード、７ｂ…小カード、１１…カードホルダ、１２…カードホルダ本体、１３…保持部材、１４…支持部、１５…カード保持部、２１…ベース保持部、２２…上板部、２３…下板部、２４…連結部、２５…固着部、２８…係止突部。
【図１】
2018090291.tif 000003
【図２】
2018090291.tif 000004
【図３】
2018090291.tif 000005
【図４】
2018090291.tif 000006
【図５】
2018090291.tif 000007
【図６】
2018090291.tif 000008
【図７】
2018090291.tif 000009
【図８】
2018090291.tif 000010
【図９】
2018090291.tif 000011
【図１０】
2018090291.tif 000012
【図１１】
2018090291.tif 000013